(57)【特許請求の範囲】
【請求項１】
バーナボディと、バーナボディ上に載置されるバーナキャップとを備えるコンロ用バーナであって、バーナキャップの外周の周方向１箇所に、点火電極に対向するターゲットが設けられると共に、バーナキャップの下面に、バーナボディ内の混合気をターゲットに向けて噴出する点火炎口と、点火炎口の周方向両側に位置する一対の火移り炎口とを有する点火炎口部が設けられるものにおいて、
バーナボディ内の混合気を点火炎口部に導入する導入口が、バーナキャップの下面に垂設した、点火炎口と両火移り炎口とを仕切る一対の仕切り壁の径方向内方に対向して一対に設けられ、
バーナキャップの下面の両導入口と両仕切り壁との間の径方向位置に、点火炎口の径方向内方に隣接する位置から各火移り炎口の径方向内方に隣接する位置に亘って分配溝が形成され、
各火移り炎口と分配溝は、点火炎口よりも上方に深く窪んでいることを特徴とするコンロ用バーナ。
【発明の詳細な説明】
【技術分野】
【０００１】
本発明は、バーナボディと、バーナボディ上に載置されるバーナキャップとを備えるコンロ用バーナに関する。
【背景技術】
【０００２】
従来、この種のコンロ用バーナとして、例えば特許文献１により、バーナキャップの外周の周方向１箇所に、点火電極に対向するターゲットを設けると共に、バーナキャップの下面に、バーナボディ内の混合気をターゲットに向けて噴出する点火炎口と、点火炎口の周方向両側に位置する一対の火移り炎口とを有する点火炎口部とを設けたものが知られている。尚、このもので、点火炎口と各火移り炎口は、その径方向内端部が互いに独立して分布室に連通するように形成されており、点火炎口と各火移り炎口とに分布室内の混合気が別々に導入される。
【０００３】
ところで、コンロ用バーナには、バーナへの供給ガス量を中程度にした状態で点火する中火点火仕様のものと、供給ガス量を最大にした状態で点火を行う強火点火仕様のものとがある。従来、強火点火仕様のバーナでは、バーナキャップの下面に形成する点火炎口の上方への窪み深さを中火点火仕様のものよりも浅くしたバーナキャップを用い、点火炎口から噴出する混合気の流量を抑えて、点火炎口での火炎リフトを防止している。然し、これでは、中火点火仕様と強火点火仕様とで異なるバーナキャップを製造する必要があって、コストが高くなる。
【先行技術文献】
【特許文献】
【０００４】
【特許文献１】特開２００２−２９５８１３号公報
【発明の概要】
【発明が解決しようとする課題】
【０００５】
本発明は、以上の点に鑑み、強火点火仕様と中火点火仕様の何れであっても、バーナキャップを変更することなく良好に点火できるようにしたコンロ用バーナを提供することをその課題としている。
【課題を解決するための手段】
【０００６】
上記課題を解決するために、本発明は、バーナボディと、バーナボディ上に載置されるバーナキャップとを備えるコンロ用バーナであって、バーナキャップの外周の周方向１箇所に、点火電極に対向するターゲットが設けられると共に、バーナキャップの下面に、バーナボディ内の混合気をターゲットに向けて噴出する点火炎口と、点火炎口の周方向両側に位置する一対の火移り炎口とを有する点火炎口部が設けられるものにおいて、バーナボディ内の混合気を点火炎口部に導入する導入口が、バーナキャップの下面に垂設した、点火炎口と両火移り炎口とを仕切る一対の仕切り壁の径方向内方に対向して一対に設けられ、バーナキャップの下面の両導入口と両仕切り壁との間の径方向位置に、点火炎口の径方向内方に隣接する位置から各火移り炎口の径方向内方に隣接する位置に亘って分配溝が形成され、各火移り炎口と分配溝は、点火炎口よりも上方に深く窪んでいることを特徴とする。
【０００７】
本発明によれば、点火炎口部の一対の導入口から導入された混合気が一対の仕切り壁に衝突して、点火炎口や各火移り炎口への混合気の直進が阻止される。更に、バーナボディ内から導入される混合気の流れは上向きの方向成分を持つため、各導入口から導入された混合気は上方に窪む分配溝に流入して、点火炎口の径方向内方に隣接する分配溝の中央部分と各火移り炎口の径方向内方に隣接する分配溝の外寄り部分とに分流する。強火点火仕様の場合、分配溝の中央部分に向けてその両側から分流される混合気の勢いが強くなるが、これにより分配溝の中央部分の圧力が上昇するため、分配溝の中央部分への混合気の分流が抑制される。一方、分布溝の外寄り部分に分流された混合気は、点火炎口よりも上方に深く窪ませた各火移り炎口にスムーズに流れる。従って、各火移り炎口に流れる混合気の割合が多くなり、分配溝の中央部分から点火炎口に流れる混合気の流量増加が抑制されて、強火点火仕様でも点火炎口での火炎リフトが防止され、良好な点火が行われる。
【０００８】
中火点火仕様では、分配溝の中央部分の圧力が然程上昇しない。そのため、分配溝の中央部分に向けてその両側から混合気が分流され続け、分配溝の中央部分から点火炎口に十分な流量で混合気が流れる。従って、中火点火仕様でも良好な点火が行われる。このように本願発明によれば、強火点火仕様と中火点火仕様の何れであっても、バーナキャップを変更することなく良好に点火できる。そのため、仕様に合わせたバーナキャップを製造する必要がなく、コストダウンを図ることができる。
【図面の簡単な説明】
【０００９】
【図１】本発明の実施形態のコンロ用バーナの断面図。
【図２】図１のバーナの点火炎口部の拡大断面図。
【図３】点火炎口部を斜め下方から見た斜視図。
【発明を実施するための形態】
【００１０】
図１を参照して、本発明の実施形態のコンロ用バーナは、バーナボディ１とバーナキャップ２とを備えている。バーナボディ１には、混合管３が一体に形成されている。混合管３の基端の流入口３ａには、図示省略したガスノズルから噴射される燃料ガスが流入すると共に一次空気が吸い込まれ、混合管３内で燃料ガスと一次空気とが混合されて混合気が生成される。
【００１１】
バーナボディ１は、混合管３の先端部から立ち上がる内筒１１と外筒１２とで中空環状に形成される。また、内筒１１の上端部内周には、下方に屈曲するシール筒部１１ａが形成され、外筒１２の上端には、径方向内方に屈曲するフランジ部１２ａが形成されている。
【００１２】
バーナキャップ２は、バーナボディ１上に載置されるもので、環状に形成されている。バーナキャップ２の内周には、バーナボディ１の内筒１１に形成したシール筒部１１ａの内周に嵌合する筒部２１が垂設されている。また、バーナキャップ２の下面外周部は、バーナボディ１の外筒１２に形成したフランジ部１２ａの上面に着座している。そして、バーナキャップ２の下面外周部に、周方向の間隔を存して溝から成る多数の一般炎口４を形成し、バーナボディ１内の混合気がこれら一般炎口４から噴出して燃焼するようにしている。
【００１３】
また、バーナキャップ２の外周の周囲１箇所には、径方向外方に張り出す舌片部２２が設けられている。舌片部２２の下面には、図示省略した点火電極に対向するターゲット２３が形成されている。そして、バーナキャップ２の下面に、図２、図３に明記する如く、バーナボディ１内の混合気をターゲット２３に向けて噴出する点火炎口５１と、点火炎口５１の周方向両側に位置する一対の火移り炎口５２，５２とを有する点火炎口部５が設けられている。以下、点火炎口部5について詳述する。
【００１４】
バーナキャップ２の下面には、点火炎口部５を径方向内方から周方向両側に亘って囲う囲い壁５３と、囲い壁５３内に位置し、点火炎口５１と両火移り炎口５２，５２とを仕切る一対の仕切り壁５４，５４とが垂設されている。そして、両仕切り壁５４，５４間の溝部で点火炎口５１が構成され、点火炎口部５の周方向両側に位置する囲い壁５３の部分と各仕切り壁５４との間の溝部で各火移り炎口５２が構成されるようにしている。
【００１５】
また、囲い壁５３の径方向内方寄りの部分は、前記フランジ部１２ａから径方向内方に張り出している。そして、囲い壁５３の径方向内方寄りの部分で囲われる溝部を周方向に二分する壁５５をバーナキャップ２の下面に垂設し、二分された溝部により、バーナボディ１内の混合気を点火炎口部５に導入する一対の導入口５６，５６を構成している。ここで、各導入口５６は、各仕切り壁５４の径方向内方に対向する。
【００１６】
また、バーナキャップ２の下面の両導入口５６，５６と両仕切り壁５４，５４との間の径方向位置に、点火炎口５１の径方向内方に隣接する位置から各火移り炎口５２の径方向内方に隣接する位置に亘って分配溝５７が形成されている。そして、各火移り炎口５２と分配溝５７とを点火炎口５１よりも上方に深く窪ませている。尚、本実施形態では、各火移り炎口５２の上方への窪み深さＨ２を分配溝５７の上方への窪み深さと同一にしているが、各火移り炎口５２の上方への窪み深さＨ２は、点火炎口５１の上方への窪み深さＨ１より深ければ、分配溝５７の上方への窪み深さより若干浅くてもよい。
【００１７】
ここで、コンロ用バーナには、バーナへの供給ガス量を中程度にした状態で点火電極とターゲット２３との間での火花放電により点火する中火点火仕様のものと、供給ガス量を最大にした状態で点火を行う強火点火仕様のものとがある。本実施形態のコンロ用バーナでは、強火点火仕様と中火点火仕様の何れであっても、バーナキャップ２を変更することなく良好に点火できる。以下、この点について詳述する。
【００１８】
本実施形態では、バーナボディ１内の混合気を点火炎口部５に導入する導入口５６が、点火炎口５１と両火移り炎口５２，５２とを仕切る一対の仕切り壁５４，５４の径方向内方に対向して一対に設けられているため、各導入口５６から導入された混合気が各仕切り壁５４に衝突して、点火炎口５１や各火移り炎口５２への混合気の直進が阻止される。更に、バーナボディ１内から導入される混合気の流れは上向きの方向成分を持つため、各導入口５６から導入された混合気は上方に窪む分配溝５７に流入して、点火炎口５１の径方向内方に隣接する分配溝５７の中央部分と各火移り炎口５２の径方向内方に隣接する分配溝５７の外寄り部分とに分流する。
【００１９】
強火点火仕様の場合、分配溝５７の中央部分に向けてその両側から分流される混合気の勢いが強くなるが、これにより分配溝５７の中央部分の圧力が上昇するため、分配溝５７の中央部分への混合気の分流が抑制される。一方、分配溝５７の外寄り部分に分流された混合気は、点火炎口５１よりも上方に深く窪ませた各火移り炎口５２にスムーズに流れる。従って、各火移り炎口５２に流れる混合気の割合が多くなり、分配溝５７の中央部分から点火炎口５１に流れる混合気の流量増加が抑制される。そのため、強火点火仕様でも点火炎口５１での火炎リフトが防止され、良好な点火が行われる。
【００２０】
中火点火仕様では、分配溝５７の中央部分の圧力が然程上昇しない。そのため、分配溝５７の中央部分に向けてその両側から混合気が分流され続け、分配溝５７の中央部分から点火炎口５１に十分な流量で混合気が流れる。従って、中火点火仕様でも良好な点火が行われる。このように本実施形態によれば、強火点火仕様と中火点火仕様の何れであっても、バーナキャップ２を変更することなく良好に点火できる。そのため、仕様に合わせたバーナキャップを製造する必要がなく、コストダウンを図ることができる。
【００２１】
以上、本発明の実施形態について図面を参照して説明したが、本発明はこれに限定されない。例えば、上記実施形態では、バーナボディ１が混合管３と一体になっているが、バーナボディは混合管と別体であってもよい。また、上記実施形態のバーナボディ1とバーナキャップ２は環状に形成されているが、バーナボディを内筒１１を有しない円筒状に形成し、その上に円板状のバーナキャップを載置するコンロ用バーナにも同様に本発明を適用できる。
【符号の説明】
【００２２】
１…バーナボディ、２…バーナキャップ、２３…ターゲット、５…点火炎口部、５１…点火炎口、５２…火移り炎口、５４…仕切り壁、５６…導入口、５７…分配溝。
【図１】
0005319616.tif 000002
【図２】
0005319616.tif 000003
【図３】
0005319616.tif 000004